(57)【要約】【課題】  螺旋状の細長い螺旋搬送体３を有する遊技場等のタバコ吸殻搬送装置であって、その一部に消火部８を設けたものにおいて、そこを通過するタバコに付着する水を可能な限り少なくし、且つタバコを完全に消火できると共に、閉店時に、消火水の処理が容易なものの提供。【解決手段】  搬送路２中に吸水体９を有する補助タンク４を設け、補助タンク４と吸水体９とを連通する。そして、補助タンク４から主タンク５へ水の戻り流路７を形成し、吸水体９にポンプ６を介して水を供給し、余分な水を補助タンク４から主タンク５に戻す。【選択図】        図１
2010000261.tif 000002
【特許請求の範囲】
【請求項１】
底部内面(1) が断面円弧状に形成された細長い搬送路(2) を有し、その搬送路(2) 内にその軸線の回りに回転する螺旋搬送体(3) が設けられたタバコ吸殻搬送装置において、
その搬送路(2) の外周に補助タンク(4)が設けられ、その補助タンク(4)と搬送路(2) の底部内面(1) とが連通され、その補助タンク(4)から主タンク(5)へ水の戻り流路(7) が形成され、
補助タンク(4)の位置で、搬送路(2) の内面が吸水体(9)からなり、その断面内周が円弧状に形成され、その吸水体(9) にポンプ(6)を介して水が供給される消火部(8)を有することを特徴とする消火部付きタバコ吸殻搬送装置。
【請求項２】
請求項１において、
補助タンク(4)の水面が、主タンク(5)の水面より常に高く位置されると共に、前記戻り流路の補助タンク(4)内の開口が前記搬送路(2) の底部に略等しく位置されて、その開口と補助タンク(4)の水面とが略等しくなるように構成された消火部付きタバコ吸殻搬送装置。
【請求項３】
請求項１または請求項２において、
前記搬送路(2) の搬送方向の端部のみに前記消火部(8)が設けられた消火部付きタバコ吸殻搬送装置。
【請求項４】
請求項１〜請求項３のいずれかにおいて、
戻り流路(7) の下流で、前記主タンク(5)内にフィルタ(10)が設けられた消火部付きタバコ吸殻搬送装置。
【発明の詳細な説明】
【技術分野】
【０００１】
本発明は、パチンコ機やスロット機等の遊技具に設けられた、細長いカウンター上に適宜間隔で配置されている灰皿の下方に配置されるタバコ吸殻搬送装置であって、特に消火部を有するものに関する。
【背景技術】
【０００２】
パチンコ店等遊技場の店内には多数のパチンコ機やスロット機が壁面や、いわゆる島に沿って並列され、その下部に細長いカウンターが存在する。そして各遊技具に灰皿が設置されている。その灰皿はカウンターの孔に嵌着し、灰皿の底はスノコ状に形成され、吸殻が下方に落下する構造を有し、カウンターの下面にはテンプレートが重ねられ、そのテンプレートにも吸殻落下孔が設けられ、そのテンプレートの下面側にタバコ吸殻搬送装置が設けられている。そして、その搬送装置により、吸殻がカウンターに沿って搬送され、その下流端部に設けた吸殻回収ボックスに回収される。
このような処理装置には、エンドレスなベルトコンベア型（特許文献２）のものと、螺旋搬送体型（特許文献１）のものとが存在する。エンドレスなベルトコンベア型のもので、搬送路中に吸殻消火を行うものが各種提案されている。
【０００３】
そのうち、特許文献３の吸殻消火装置は、貯水槽と搬送樋とを連通し、搬送樋の消火水の水位を貯水槽の消火水の水位に維持する。そして、搬送樋中の消火水が吸殻に吸収されると、搬送樋の水位が低下するが、この低下した水位より高い水位になっている貯水槽内の消火水が搬送樋へ自然に流出し、搬送樋中の消火水の水位を貯水槽内の水位と同じ高さに保持するものである。
【０００４】
【特許文献１】特開平０８−０１０４３７号公報
【特許文献２】特公平０３−００８２３６号公報
【特許文献３】特開平１１−０４６７４６号公報
【特許文献４】特開平１１−０４７４２８号公報
【発明の開示】
【発明が解決しようとする課題】
【０００５】
ベルトコンベア型のタバコ吸殻搬送装置に比べて、螺旋型の搬送装置のほうが構造的に簡単でメンテナンス性に優れている特徴を有する。また、ベルトコンベア型のタバコ吸殻搬送装置であって、搬送樋に常に一定量の水量を蓄え、タバコ吸殻を消火する装置においては、タバコに多くの水を含み、吸殻回収後の重量が大となると共に、回収ボックスに多くの水が浸入し、後処理が面倒である欠点があった。
そこで本発明は、これらの従来型のタバコ吸殻搬送装置およびその消火装置の欠点を取除くことを課題とする。
【課題を解決するための手段】
【０００６】
請求項１に記載の本発明は、底部内面(1) が断面円弧状に形成された細長い搬送路(2) を有し、その搬送路(2) 内にその軸線の回りに回転する螺旋搬送体(3) が設けられたタバコ吸殻搬送装置において、
その搬送路(2) の外周に補助タンク(4)が設けられ、その補助タンク(4)と搬送路(2) の底部内面(1) とが連通され、その補助タンク(4)から主タンク(5)へ水の戻り流路(7) が形成され、
補助タンク(4)の位置で、搬送路(2) の内面が吸水体(9)からなり、その断面内周が円弧状に形成され、その吸水体(9) にポンプ(6)を介して水が供給される消火部(8)を有することを特徴とする消火部付きタバコ吸殻搬送装置である。
【０００７】
請求項２に記載の本発明は、請求項１において、
補助タンク(4)の水面が、主タンク(5)の水面より常に高く位置されると共に、前記戻り流路の補助タンク(4)内の開口が前記搬送路(2) の底部に略等しく位置されて、その開口と補助タンク(4)内の水面とが略等しくなるように構成された消火部付きタバコ吸殻搬送装置である。
【０００８】
請求項3に記載の本発明は、請求項１または請求項２において、
前記搬送路(2) の搬送方向の端部のみに前記消火部(8)が設けられた消火部付きタバコ吸殻搬送装置である。
請求項４に記載の本発明は、請求項１〜請求項３のいずれかにおいて、
戻り流路(7) の下流で、前記主タンク(5)内にフィルタ(10)が設けられた消火部付きタバコ吸殻搬送装置である。
【発明の効果】
【０００９】
本発明の消化部付き吸殻搬送装置は、主タンク５からポンプ６を介して、搬送路２の吸水体９に水が供給される消火部８を有するから、搬送路２の内面に確実に水が保持され、タバコの吸殻を消火することが可能となる。それと共に、搬送路２の底部内面１と補助タンク４とが連通し、補助タンク４から主タンク５へ戻り流路７が形成されているから、不必要な水が戻り流路７を介して主タンク５へ排出され、搬送路２の底部内面１に必要以上の水が存在することを防止し、タバコ吸殻に付着する水を少なくして、そのタバコ吸殻の回収重量を少なくすることができる。それと共に、回収後のタバコ吸殻の処理が容易となる。
【００１０】
上記構成において、補助タンク(4)の水面を、主タンク(5)の水面より常に高くすると共に、前記戻り流路の補助タンク(4)内の開口が前記搬送路(2) の底部に略等しく位置されて、その開口に補助タンク(4)の水面が略等しくなるように構成することができる。この場合には、吸水体９の水面を搬送路２の底部内面１に略等しくして、必要以上の水が存在することを確実に防止し、タバコ吸殻に付着する水を少なくして、その回収重量を少なくすることができる。
【００１１】
上記構成において、搬送路２の搬送方向の端部のみに消火部８を設けた場合にはタバコ吸殻の搬送を円滑に行うと共に、搬送路２の端部でタバコ吸殻を確実に消火することができる。
上記構成において、戻り流路７の下流で主タンク５内にフィルタ１０を設けた場合には、そのフィルタ１０により、補助タンク４からの戻り流路中のタバコ吸殻を確実に捕捉し、それがポンプ６内に進入することを防止して、ポンプ６の信頼性を向上しうる。
【発明を実施するための最良の形態】
【００１２】
次に、図面に基づいて本発明の実施の形態につき説明する。
図１は本発明の消火部付きタバコ吸殻搬送装置の要部縦断面図であり、図２は図１のII-II矢視断面図、図３は同装置の全体を示す縦断面図略図である。
この消化部付きタバコ吸殻搬送装置は、図示しない細長いカウンターの下面に隣接し、図３のごとくテンプレート２５が配置され、そのテンプレート２５の下面側に細長い螺旋状の螺旋搬送体３とそれを被嵌する樋状の搬送路２とが配置されている。テンプレート２５の上方には多数の遊技機２２が並列され、各遊技機２２に図示しないカウンターおよびテンプレート２５に吸殻落下孔２３が形成されている。
カウンターの吸殻落下孔２３には、図示しない灰皿が設置されると共に、その底部がスノコ状に形成され、灰皿の上面には図示しない開閉自在な蓋が設けられている。なお、カウンターはテンプレートと一体のものであってもよい。螺旋搬送体３の回転軸２１の一端にはフランジ１４を介してモータ１３が連結され、他端は軸受１５で軸支される。それと共に、回転軸２１の適宜な中間部に中間軸受１６が設けられている。
【００１３】
搬送路２は横断面がＵ字状に形成され、その底部内面１の横断面は半円状に形成されている。搬送路２の搬送方向の端部には、ケーシング１１の上端が接続され、そのケーシング１１には搬送路２より低い位置に吸殻回収ボックス１２と、主タンク５とが並列されている。この主タンク５には水が供給され、その水面は搬送路２よりも下方に位置する。主タンク５の水面の上方にはフィルタ１０が配置されている。そして、このフィルタ１０を貫通し、給水管１８の先端が主タンク５の下方まで延びている。
【００１４】
給水管１８の他端部はポンプ６を介し、補助タンク４の上部に連通する。この補助タンク４と吸水体９と、各配管１８，１９等により、消火部８を構成する。この消火部８は、この例では樋状の搬送路２の搬送方向の端部の少し手前に、着脱自在に装着され、内部に搬送路２の内面に整合する吸水体９が設けられている。その消火部は、樋状の搬送路２の外周より一回り大きな横断面Ｕ字状の上端板４ａが設けられ、その上端板４ａの外側にさらにそれより一回り大きな補助タンク４が形成されている。そして、上端板４ａと補助タンク４との長手方向両端部間は閉塞されている。
【００１５】
補助タンク４内の上端板４ａには複数のスリット４ｂが周方向に離間して設けられている。このスリット４ｂは補助タンク４と吸水体９とを連通するものである。吸水体９としては、フェルトや不織布等が用いられ、その横断面の内周面は搬送路２の底部内面１の内周面と一致する。そして、図２に示すごとく補助タンク４の上端部で、吸水体９の周方向の両端に隣接して、二本の給水管１８が挿通されている。その給水管１８には、複数の給水孔が適宜間隔で穿設され、それらが吸水体９の端に対向する。補助タンク４内には、吸水体９の内面の最下位置よりわずか高い位置に排水管１９の先端が連通する。そして、主タンク５（図３）内の水がポンプ６を介し給水管１８から吸水体９の上端に供給される。すると、吸水体９全体に水が含まれ、余分な水が補助タンク４内に落下する。
【００１６】
補助タンク４内の水２０が排水管１９の開口に達すると、その排水管１９を介し、水が主タンク５内に自然流下する。そのため、吸水体９上の水位は排水管１９の開口に一致する。この水位は吸水体内面の最下位置と同一またはそれより１〜２ｍｍ程度高いのが好ましい。主タンク５に流入する水はフィルタ１０によって、ろ過され、それに含まれるタバコ吸殻を除去する。なお、この排水管１９は本発明の戻り流路７を構成する。また、この排水管１９の途中に適宜な絞り弁を設けることができる。それにより、排水管１９を介して流出する補助タンク４内の水量を調整することができる。
この例の消火部８は、補助タンク４と上端板４ａと吸水体９および戻り流路７、主タンク５、ポンプ６、給水管１８によって構成する。なお、この例において、吸水体９の内表面には消火に必要な最小限の水を含むことが望ましい。
消火部８にあまりにも多くの水が供給されるとタバコの吸殻が水に浸り、その分だけ重量が重くなると共に、回収後の処理が面倒だからである。この例では、上端板４ａの内面側に吸水体９を設けたが、それに替えて上端板４ａ自体を搬送路２の底部内面１の内面と面一にしてもよい。
【００１７】
（作用）
次に、この消化部付きタバコ吸殻搬送装置の作用につき述べる。
各遊技機２２の灰皿の底から落下した吸殻は、テンプレート２５の吸殻落下孔２３から搬送路２内に落下する。すると、モータ１３により螺旋搬送体３が常時駆動されているため、吸殻は図３において、ケーシング１１側に搬送される。そして、搬送路２の端部において、吸水体９により吸殻にわずかな水が供給され、吸殻は完全に消火されて、ケーシング１１内に落下する。ケーシング１１には吸殻回収ボックス１２の上端が開口され、その吸殻回収ボックス１２内に吸殻が収納される。
【００１８】
補助タンク４内には、給水管１８、ポンプ６を介し主タンク５内の水が吸水体９に常に僅かづつ供給される。一例として、１分間に２０〜８０ｍＬ程度、吸水体９に供給される。このようなポンプ６としては、モータや回転軸のない圧電素子を利用した振動子タイプのものが好ましい。これはポンプ駆動部が振動子であり、弾性金属板の片面に電極を有する薄い圧電素子を貼り付けた構造をしており、この振動子に電圧を印加すると、屈曲する圧電効果があるため、交流電圧を印加すると振動子はその電圧と周波数で振動するものである。この様な構造のポンプを用いることにより、仮にわずかでも吸殻が内部に流入しても、ほとんど詰まることがない。そして吸水体９表面を通過する吸殻を確実に消火して吸殻回収ボックス１２に落下させることができる。
吸水体９に吸収された水はスリット４ｂを介し補助タンク４に流出する。補助タンク４内の水は戻り流路７を介しフィルタ１０を通過して主タンク５内に戻される。そして、主タンク５内の水はポンプ６および給水管１８を介し循環する。
【図面の簡単な説明】
【００１９】
【図１】本発明の消火部付きタバコ吸殻搬送装置の要部縦断面図。
【図２】図１のII-II矢視断面略図。
【図３】同装置の全体を示す縦断面図説明図。
【符号の説明】
【００２０】
１  底部内面
２  搬送路
３  螺旋搬送体
４  補助タンク
4a  上端板
4b  スリット
５  主タンク
６  ポンプ
７  戻り流路
８  消火部
９  吸水体
10  フィルタ
【００２１】
11  ケーシング
12  吸殻回収ボックス
13  モータ
14  フランジ
15  軸受  
16  中間軸受
17  取手
18  給水管
19  排水管
20  水
21  回転軸
22  遊技機
23  吸殻落下孔
24  床
25  テンプレート
【図１】
2010000261.tif 000003
【図２】
2010000261.tif 000004
【図３】
2010000261.tif 000005